(57)【特許請求の範囲】
【請求項１】
ケース内に設けた、該ケース外からケースの厚み方向に入射した撮影光を、該厚み方向に対して直交する該ケースの長手方向に向けて出射する入射側プリズムと、
上記ケース内に設けた、該入射プリズムが出射した該撮影光を透過させかつ上記長手方向に移動する変倍レンズ群である移動レンズ群と、
上記ケース内に設けた、該移動レンズ群を透過した後に入射した該撮影光を上記厚み方向に出射する出射側プリズムと、
上記ケース内に設けた、該出射側プリズムが出射した該撮影光を受光する撮像素子と、
上記ケース内において上記移動レンズ群と上記出射側プリズムの間に上記長手方向に並べて設けた、上記移動レンズ群が変倍動作するときに該長手方向に移動する複数の遮光枠と、
を備え、
上記移動レンズ群が、第１の移動レンズ群、及び、該第１の移動レンズ群より上記出射側プリズム側に位置する第２の移動レンズ群を備え、
上記遮光枠が、上記第１の移動レンズ群を支持する第１の移動レンズ枠に支持した第１遮光枠、及び、上記第２の移動レンズ群を支持する第２の移動レンズ枠に支持した第２遮光枠を備え、
上記第１遮光枠及び上記第２遮光枠が、上記第２の移動レンズ群より上記出射側プリズム側に位置し、
上記第１の移動レンズ群と上記第１の遮光枠の間に上記第２の移動レンズ群が位置し、
上記第２の移動レンズ群と上記第２の遮光枠の間に上記第１の遮光枠が位置することを特徴とする撮像ユニット。
【発明の詳細な説明】
【技術分野】
【０００１】
本発明は、ハウジング内に、撮像光学系と、該撮像光学系を通った撮影光を撮像する撮像素子とを収納した撮像ユニットに関する。
【背景技術】
【０００２】
近年、デジタルスチルカメラ、デジタルビデオカメラ等の主として撮影を目的とした携帯電子機器や、カメラ付き携帯電話機や携帯情報端末といった付随的に撮影機能を備えた携帯電子機器が広く普及している。この種の携帯電子機器においては、中空のハウジングに撮像素子と撮像素子に撮影光を導くための撮像光学系とを収納した構成の撮像ユニットを内蔵させることが広く行われている。そして近年、携帯電子機器の薄型化（小型化）が進行しているため、撮像ユニットに対する薄型化（小型化）の要求が強くなっている。
【０００３】
特許文献１は撮像ユニットの従来技術の一例であり、中空のケースと、ケース内に設けた撮像光学系及び撮像素子と、を具備している。撮像光学系は、ケースの長手方向に離間させて設けた入射側プリズム及び出射側プリズムと、両プリズムの間に位置し、かつケースの長手方向に沿って進退する変倍レンズ群である移動レンズ群と、を具備している。撮像光学系の入射部である入射側プリズムに入った撮影光は、入射側プリズムによって進行方向を９０°変換（反射）された後に移動レンズ群を透過して出射側プリズムに入り、出射側プリズムによって進行方向を再度９０°変換（反射）されて撮像素子の撮像面によって受光（撮像）される。
【０００４】
このように２つのプリズムを用いて撮像光学系を構成すると、ケースの厚み方向（長手方向に対して直交する方向）の寸法を薄くしつつ、撮影光を撮像素子に導くことが可能になる。
【先行技術文献】
【特許文献】
【０００５】
【特許文献１】特開２００８−２４２４４６号公報
【特許文献２】特開２００３−５７７２１号公報
【特許文献３】特開２０１０−１４７８６号公報
【発明の概要】
【発明が解決しようとする課題】
【０００６】
光学機器においては正規の光路とは別の方向から撮像面（結像面）に迷光が入射することが多く、迷光が撮像面に入射すると撮像（撮影）した画像にゴーストが発生してしまうため、撮像面に向かう迷光を遮光する遮光枠を設けることが多い。特に上記のようにケースを薄型化した撮像ユニットにおいては、ケース内壁と撮像光学系の距離が近づくため、ケース内壁で反射した迷光や、出射側プリズムの側面で反射した迷光が撮像面に直接入射するおそれが高くなるので、移動レンズ群の移動に合わせて移動する遮光枠を設けると効果的である。
【０００７】
しかし、ケース内に遮光枠を移動可能に設けるためには遮光枠とケース内壁の間にクリアランスを形成する必要があるため、迷光がこのクリアランスを通り抜けて撮像素子側に向かうおそれがある。しかも上記のように薄型の撮像ユニットは迷光が撮像面に直接入射し易い構造であるため、可動タイプの遮光枠を設ける場合には特別な工夫が必要である。
【０００８】
本発明は、全体形状が薄型でありながら、迷光が撮像素子に入射するのを効果的に防止できる撮像ユニットを提供することを目的とする。
【課題を解決するための手段】
【０００９】
本発明の撮像ユニットは、ケース内に設けた、該ケース外からケースの厚み方向に入射した撮影光を、該厚み方向に対して直交する該ケースの長手方向に向けて出射する入射側プリズムと、上記ケース内に設けた、該入射プリズムが出射した該撮影光を透過させかつ上記長手方向に移動する変倍レンズ群である移動レンズ群と、上記ケース内に設けた、該移動レンズ群を透過した後に入射した該撮影光を上記厚み方向に出射する出射側プリズムと、上記ケース内に設けた、該出射側プリズムが出射した該撮影光を受光する撮像素子と、上記ケース内において上記移動レンズ群と上記出射側プリズムの間に上記長手方向に並べて設けた、上記移動レンズ群が変倍動作するときに該長手方向に移動する複数の遮光枠と、を備え、上記移動レンズ群が、第１の移動レンズ群、及び、該第１の移動レンズ群より上記出射側プリズム側に位置する第２の移動レンズ群を備え、上記遮光枠が、上記第１の移動レンズ群を支持する第１の移動レンズ枠に支持した第１遮光枠、及び、上記第２の移動レンズ群を支持する第２の移動レンズ枠に支持した第２遮光枠を備え、上記第１遮光枠及び上記第２遮光枠が、上記第２の移動レンズ群より上記出射側プリズム側に位置し、上記第１の移動レンズ群と上記第１の遮光枠の間に上記第２の移動レンズ群が位置し、上記第２の移動レンズ群と上記第２の遮光枠の間に上記第１の遮光枠が位置することを特徴としている。 
【発明の効果】
【００１３】
本発明の撮像ユニットは、撮影光を撮像素子に導くための撮像光学系（屈曲光学系）を２つのプリズム（入射側プリズム、出射側プリズム）を用いて構成することにより撮像ユニット（ケース）を薄型化しているので、ケース内において迷光が発生し易い（撮影光がケース内壁に反射し易い）構造となっている。
しかし移動レンズ群と出射側プリズムの間に、移動レンズ群が変倍動作するときに移動する遮光枠を設けたので、該遮光枠によって迷光が撮像素子に入射するのを抑制できる。また、最も移動レンズ群側に位置する遮光枠とケース内面のクリアランスを迷光が通り抜けるおそれがあるものの、この迷光は出射側プリズム側に位置する別の遮光枠によって遮ることができるので、迷光が撮像素子に入射するのを確実に防止できる。
【図面の簡単な説明】
【００１４】
【図１】本発明の一実施形態の撮像ユニットの前斜め上方から見た斜視図である。
【図２】撮像ユニットの前斜め上方から見た分解斜視図である。
【図３】撮像光学系がテレ端位置にあるときのカバー部材及び回路基板を取り外した撮像ユニットの正面図である。
【図４】撮像光学系がテレ端位置にあるときの図１のIV−IV矢線に沿う断面図である。
【図５】撮像光学系がワイド端位置にあるときの図３と同様の正面図である。
【図６】２群レンズ枠、第１遮光枠、及び、その周辺部材の斜視図である。
【図７】３群レンズ枠、第２遮光枠、及び、その周辺部材の斜視図である。
【図８】変形例の撮像光学系がテレ端位置にあるときのカバー部材、回路基板、第１ロッド、第２ロッド、及び、パッキンを取り外した撮像ユニットの正面図である。
【図９】撮像光学系がワイド端位置にあるときの図８と同様の正面図である。
【発明を実施するための形態】
【００１５】
以下、図１〜図７を参照しながら本発明の一実施形態について説明する。なお以下の説明における前後、左右、及び、上下の各方向は、図中に記載した矢線方向を基準としている。
図１、図２に示すように撮像ユニット１０は大きな構成要素として本体モジュール１５、基板モジュール６５、及び、カバー部材７６を具備している。
本体モジュール１５は、合成樹脂製のハウジング（ケース）１６を備えている。ハウジング１６は前面の左端部に断面略Ｄ字形の取付用凹部１７を有し、前面の該左端部を除く部分には断面略矩形の収納凹部１８を有し、取付用凹部１７と収納凹部１８の間には両者を区切る隔壁１９を備えており、隔壁１９の中央部には取付用凹部１７と収納凹部１８を連通させるための連通孔２０（図３〜図５参照）が穿設してある。収納凹部１８の底面（後面）の右端部には正面視略方形をなす位置決め部２２が前向きに突設してある。位置決め部２２は前方に向かって突出する３つの位置決め用突部２３を備えており、各位置決め用突部２３の前面は前後方向（ハウジング１６の厚み方向）に対して直交する偏平な位置決め平面２４となっている。また位置決め部２２の内部には前面及び左側面が開口するプリズム用凹部２５が凹設してある。さらに位置決め部２２の左側面には上下一対の規制用突部２６が突設してあり、各規制用突部２６の左端面は左右方向（ハウジング１６の長手方向）に対して直交する平面からなる遮光枠位置規制面２６ａとなっている。さらに収納凹部１８の内周面の前縁部には、ハウジング１６の前面より後方に一段後退しかつ前後方向に対して直交する基板支持面２７が形成してあり、基板支持面２７の２カ所には前向きに突出する係止突起２８が設けてある。ハウジング１６の上面中央部の前端部には周辺部に比べて（下方に）一段下がった第１係合凹部３０が形成してあり、第１係合凹部３０の左側には第１係合凹部３０と同じ高さに位置しかつ第１係合凹部３０より広幅の第２係合凹部３１が形成してあり、第２係合凹部３１には係合突起３２が突設してある。さらにハウジング１６の下面にも同じ構成の第１係合凹部３０、第２係合凹部３１、係合突起３２が形成してある。下面の第１係合凹部３０、第２係合凹部３１、係合突起３２の互いの位置関係は上面のものと同じであるが、下面の第１係合凹部３０、第２係合凹部３１、係合突起３２は上面のものに対して全体的に右側にずれている。さらにハウジング１６の右側面には上下一対の係合突起３４が突設してある。
【００１６】
図３〜図５に示すように取付用凹部１７の内部には、前後方向に対して直交する入射面ＬＰ１−ａと左右方向に対して直交する出射面ＬＰ１−ｂとを備える第１プリズム（入射側プリズム）ＬＰ１が嵌合固定してある。また取付用凹部１７の前端部には、取付用凹部１７と同じ断面形状でその光軸が前後方向に延びるレンズＬ１が嵌合固定してある。レンズＬ１の前面は前方に露出しており、レンズＬ１の後面と入射面ＬＰ１−ａは前後方向に対向している。また図２、図４に示すように連通孔２０には第１プリズムＬＰ１の出射面ＬＰ１−ｂと左右方向に対向する２枚のレンズＬ２、３が嵌合固定してある。以上説明したレンズＬ１、第１プリズムＬＰ１、レンズＬ２、レンズＬ３が第１レンズ群ＬＧ１の構成要素である。
プリズム用凹部２５には左右方向に対して直交する入射面ＬＰ２−ａと前後方向に対して直交する出射面ＬＰ２−ｂとを備える第２プリズム（出射側プリズム）ＬＰ２が嵌合固定してあり、入射面ＬＰ２−ａは出射面ＬＰ１−ｂと左右方向に対向している。
【００１７】
ハウジング１６の右側壁の内面と隔壁１９には共に左右方向に直線的に延びる金属製の円柱部材である第１ロッド３６と第２ロッド３７の両端部が上下に並べた状態で固定してある。
第１ロッド３６には合成樹脂製の２群レンズ枠（第１の移動レンズ枠）３９の上部に形成した挿通孔４０が嵌合しており、第２ロッド３７には２群レンズ枠３９の下端部に形成した回転止め溝４１が係合している。このように回転止め溝４１が第２ロッド３７に係合することにより２群レンズ枠３９の第１ロッド３６回りの回転を規制しているので、２群レンズ枠３９は第１ロッド３６及び第２ロッド３７に沿って左右方向にスライド可能である。２群レンズ枠３９を左右方向に貫通するレンズ保持孔には、２枚のレンズＬ４、Ｌ５からなり、かつ出射面ＬＰ１−ｂ及び入射面ＬＰ２−ａと左右方向に対向する第２レンズ群（移動レンズ群）（第１の移動レンズ群）ＬＧ２が嵌合固定してある。２群レンズ枠３９の右側面には、中央部にレンズＬ４、Ｌ５と同心をなす光束規制開口４３ａを有する遮光シート４３が固着してある。また、２群レンズ枠３９の上端部には左右両端が開放したナット保持孔４２が形成してあり、ナット保持孔４２には軸線が左右方向に延びる雌ねじ孔を備えるドリブンナット４４が嵌合固定してある（ナット保持孔４２の第１ロッド３６側の端部がドリブンナット４４の回転止めを構成している）。収納凹部１８の上部にはステッピングモータからなる第１モータＭ１が固定してある。第１モータＭ１は左方に向かって直線的に延びる回転駆動軸Ｍ１ａを備えており、回転駆動軸Ｍ１ａの先端部近傍に形成した雄ねじ溝がドリブンナット４４の上記雌ねじ溝に螺合している。従って、第１モータＭ１を動作させることにより回転駆動軸Ｍ１ａをその軸線回りに正逆回転させると、２群レンズ枠３９（レンズＬ４、Ｌ５）が第１ロッド３６と第２ロッド３７に沿って図３、図４に示すテレ端位置と図５に示すワイド端位置の間を左右方向に直線移動する。
また第２ロッド３７には２群レンズ枠３９の右側に位置する合成樹脂製の３群レンズ枠（第２の移動レンズ枠）４７の下部に形成した挿通孔４８が嵌合しており、第１ロッド３６には３群レンズ枠４７の上端部に形成した回転止め溝４９が係合しているので、３群レンズ枠４７は第１ロッド３６及び第２ロッド３７に沿って（第２ロッド３７回りに回転を規制された状態で）左右方向にスライド可能である。３群レンズ枠４７を左右方向に貫通するレンズ保持孔には１枚のレンズＬ６からなり第２レンズ群ＬＧ２と互いに同心をなす第３レンズ群（移動レンズ群）（第２の移動レンズ群）ＬＧ３が嵌合固定してあり、３群レンズ枠４７の下端部には左右両端が開放したナット保持孔５０が形成してあり、ナット保持孔５０にはドリブンナット４４が嵌合固定してある（ナット保持孔５０の第２ロッド３７側の端部がドリブンナット４４の回転止めを構成している）。さらに収納凹部１８の下部には第１モータＭ１と同一仕様の第２モータＭ２が固定してあり、回転駆動軸Ｍ２ａ（回転駆動軸Ｍ１ａと同一仕様）の先端部近傍に形成した雄ねじ溝がドリブンナット４４の上記雌ねじ溝に螺合している。従って、第２モータＭ２を動作させることにより回転駆動軸Ｍ２ａをその軸線回りに正逆回転させると、３群レンズ枠４７（第３レンズ群ＬＧ３）が第１ロッド３６と第２ロッド３７に沿って図３、図４に示すテレ端位置と図５に示すワイド端位置の間を左右方向に直線移動する。
以上説明した第１レンズ群ＬＧ１、第２レンズ群ＬＧ２（２群レンズ枠３９、ドリブンナット４４）、第３レンズ群ＬＧ３（３群レンズ枠４７、ドリブンナット４４）、及び、第２プリズムＬＰ２が撮像光学系（屈曲光学系）の構成要素であり、第２レンズ群ＬＧ２（レンズＬ４、Ｌ５）と第３レンズ群ＬＧ３（レンズＬ６）が第１ロッド３６及び第２ロッド３７に沿って進退することにより該撮像光学系はズーミング動作を行い、第３レンズ群ＬＧ３が進退することによりフォーカシング動作を行う。
さらにハウジング１６、第１ロッド３６、第２ロッド３７、撮像光学系、第１モータＭ１、及び、第２モータＭ２が本体モジュール１５の構成要素である。
【００１８】
２群レンズ枠３９の上端近傍部には、第１ロッド３６、第２ロッド３７、及びレンズＬ２〜Ｌ６の光軸Ａと平行な金属製の円柱部材であるガイドバー５２の左端部が固定してある。ガイドバー５２には金属製のスライド筒５３がスライド自在に支持してあり、ガイドバー５２の右端部にはスライド筒５３の内径より大径の円形部材であるストッパ５２ａが一体的に形成してある。２群レンズ枠３９とスライド筒５３の間には第１ロッド３６の周囲に位置する圧縮コイルバネ（付勢手段）Ｓ１が設けてあり、圧縮コイルバネＳ１がスライド筒５３を右側に向けて移動付勢しているので、スライド筒５３に対して左向きの外力が掛からないときスライド筒５３はストッパ５２ａに当接する。
スライド筒５３には遮光性材料からなる第１遮光枠５４の上端部が固定してある。第１遮光枠５４はガイドバー５２に対して直交する板状部材である。第１遮光枠５４の中央部には矩形形状の光束規制開口５４ａが形成してある。第１遮光枠５４の上端部にはスライド筒５３に対して固定状態で嵌合する固定孔５４ｂが形成してあり、第１遮光枠５４の下端部には第２ロッド３７に対して係合する回転転止め溝５４ｃが形成してある。スライド筒５３がガイドバー５２及び２群レンズ枠３９と一緒に左右方向に進退すると、第１遮光枠５４は第２ロッド３７に沿って左右方向にスライドする。
【００１９】
３群レンズ枠４７の下端近傍部にはガイドバー５２と同一仕様かつ平行なガイドバー５８の左端部が固定してある。ガイドバー５８にはスライド筒５３がスライド自在に支持してあり、ガイドバー５８の右端部にはスライド筒５３の内径より大径の円形部材であるストッパ５８ａが一体的に形成してある。３群レンズ枠４７とスライド筒５３の間には第２ロッド３７の周囲に位置する圧縮コイルバネ（付勢手段）Ｓ２が設けてあり、圧縮コイルバネＳ２がスライド筒５３を右側に向けて移動付勢しているので、スライド筒５３に対して左向きの外力が掛からないときスライド筒５３はストッパ５８ａに当接する。
ガイドバー５８に支持したスライド筒５３には、第１遮光枠５４と第２プリズムＬＰ２の間に位置する第２遮光枠５９の下端部が固定してある。第２遮光枠５９は遮光性材料からなり中央部に矩形形状の光束規制開口５９ａを有するガイドバー５８に対して直交する板状部材からなるものであり、第２遮光枠５９の下端部に形成した固定孔５９ｂがスライド筒５３に固定状態で嵌合しており、第２遮光枠５９の上端部に形成した回転転止め溝５９ｃが第１ロッド３６に係合している。ガイドバー５８に支持したスライド筒５３がガイドバー５８及び３群レンズ枠４７と一緒に左右方向に進退すると、第２遮光枠５９は第１ロッド３６に沿って左右方向にスライドする。
以上説明した構成のうち、規制用突部２６、第２ロッド３７、２群レンズ枠３９、ガイドバー５２、スライド筒５３、及び、圧縮コイルバネＳ１が第１遮光枠５４側の遮光枠位置調整機構の構成要素である。また、規制用突部２６、第１ロッド３６、３群レンズ枠４７、スライド筒５３、ガイドバー５８、及び、圧縮コイルバネＳ２が第２遮光枠５９側の遮光枠位置調整機構の構成要素である。
【００２０】
基板モジュール６５は正面形状がハウジング１６の収納凹部１８と略同一であり前後方向に対して直交する平板からなる回路基板６６を具備している。回路基板６６の後面には図示を省略したプリント回路が形成してあり、かつ回路基板６６の角部の２カ所には円形孔６７が穿設してある。
回路基板６６の後面の右端部には撮像素子６９が固定してあり、撮像素子６９に設けた複数の端子（図示略）が上記プリント回路に半田付けにより固定状態で接続している。撮像素子６９の後面には前後方向に対して直交する撮像面（図示略）が形成してある。さらに撮像素子６９はその入射側の面（図中後面）に、平板からなり該撮像面全体を覆うカバーガラス７０を固定状態で備えている。
さらに撮像素子６９の後面（後端部）には、前面及び左側面が開放したゴム等の弾性材料からなるパッキン７２が被せてある。さらにパッキン７２の後面には上記撮像面全体を後方に露出させるための露出用孔７３と、露出用孔７３の右側に位置する貫通孔７４とが穿設してある。
以上説明した回路基板６６、撮像素子６９、及び、パッキン７２が基板モジュール６５の構成要素である。
【００２１】
金属板のプレス成形品であるカバー部材（ケース）７６は、前後方向に対して直交する平板部である基部７７と、基部７７の上下両縁部からそれぞれ後方に向かって延びる短寸係合片７８及び長寸係合片（弾性係合片）７９と、基部７７の右側縁部からそれぞれ後方に向かって延びる上下一対かつ側面視略Ｔ字形の側部係合片（弾性係合片）８１と、を一体的に備えている。基部７７は回路基板６６より若干大寸の略矩形形状であり、かつ、共に前後方向に弾性変形可能な押圧片８４、押圧片８５、及び、押圧片８６を有している。
押圧片８４、押圧片８５、及び、押圧片８６は前方から後方に向かって突出する押圧突起８４ａ、押圧突起８５ａ、及び、押圧突起８６ａをそれぞれ具備しており（押圧片８４、押圧片８５、及び、押圧片８６の押圧突起８４ａ、押圧突起８５ａ、及び、押圧突起８６ａに対応する部分の前面は凹んでいる）、自由状態にあるとき押圧片８４、押圧片８５、及び、押圧片８６は基部７７の他の部分と同一平面上に位置している。
長寸係合片７９と側部係合片８１には共に方形をなす係合孔８０と係合孔８２がそれぞれ穿設してある。
【００２２】
本体モジュール１５に対して基板モジュール６５とカバー部材７６を組み付けるには、まず回路基板６６の２つの円形孔６７をハウジング１６の２つの係止突起２８にそれぞれ嵌合させながら回路基板６６によって収納凹部１８の前面開口を塞ぎ、回路基板６６の後面の周縁部を基板支持面２７に面接触させる（回路基板６６の前面とハウジング１６の前面は略同一平面上に位置する）。すると図４に示すようにハウジング１６の３つの位置決め用突部２３がパッキン７２の露出用孔７３及び貫通孔７４を前方に通り抜けて、その位置決め平面２４が撮像素子６９のカバーガラス７０の偏平な後面（撮像面の直後に位置する部分より外周側）に面接触する。さらに露出用孔７３を通して撮像素子６９の上記撮像面が第２プリズムＬＰ２の出射面ＬＰ２−ｂと前後方向に対向する。またパッキン７２の後面が位置決め部２２の前面に当接する。
次いでハウジング１６の隔壁１９より右側全体の前面にカバー部材７６の基部７７を前方から被せて、上下の長寸係合片７９の係合孔８０を上下の係合突起３２にそれぞれ係合させ、かつ、上下の側部係合片８１の係合孔８２を上下の係合突起３４にそれぞれ係合させて、カバー部材７６をハウジング１６に固定する。
このようにして撮像ユニット１０を組み立てると、カバー部材７６の押圧片８４、押圧片８５、及び、押圧片８６の押圧突起８４ａ、押圧突起８５ａ、及び、押圧突起８６ａが回路基板６６の前面の右側部に接触し、僅かに前方に弾性変形した押圧片８４、押圧片８５、及び、押圧片８６から（押圧突起８４ａ、押圧突起８５ａ、及び、押圧突起８６ａを通じて）回路基板６６の前面に後向きの押圧力（付勢力）が掛かるので、回路基板６６及び撮像素子６９が後方に押圧される。するとハウジング１６の３つの位置決め用突部２３の位置決め平面２４とカバー部材７６の押圧突起８４ａ、押圧突起８５ａ、及び、押圧突起８６ａによって回路基板６６と撮像素子６９の一体物が前後から挟持されるので、位置決め用突部２３と押圧突起８４ａ、８５ａ、８６ａとによって回路基板６６及び撮像素子６９がハウジング１６に対して前後方向に正確に位置決めされる。
【００２３】
撮像ユニット１０を前方に位置する被写体に向けると、該被写体の反射光（撮影光）はレンズＬ１を透過した後に入射面ＬＰ１−ａから第１プリズムＬＰ１の内部に入り、第１プリズムＬＰ１の内面によって出射面ＬＰ１−ｂ側に進行方向を９０°変換されながら反射される。さらに出射面ＬＰ１−ｂを出た該反射光は、各レンズＬ２〜Ｌ６、並びに、第１遮光枠５４及び第２遮光枠５９の光束規制開口５４ａ、５９ａを透過した後に入射面ＬＰ２−ａから第２プリズムＬＰ２の内部に入り、第２プリズムＬＰ２の内面によって出射面ＬＰ２−ｂ側に進行方向を９０°変換されながら反射され、露出用孔７３及びカバーガラス７０を通り抜けた後に撮像素子６９の上記撮像面によって撮像（受光）される。
さらに第１モータＭ１と第２モータＭ２を利用して第２レンズ群ＬＧ２（レンズＬ４、Ｌ５）と第３レンズ群ＬＧ３（レンズＬ６）を第１ロッド３６及び第２ロッド３７に沿って進退させることにより上記撮像光学系をズーミング動作及びフォーカシング動作させれば、被写体像を変倍及び合焦させた状態で撮像可能となる。
また、３群レンズ枠４７（第３レンズ群ＬＧ３）がテレ端位置とテレ端近傍位置（図示略）の間の範囲である３群側一体移動範囲を移動するときは３群レンズ枠４７と第２遮光枠５９の左右方向距離は一定（不変）である。しかし３群レンズ枠４７が該テレ端近傍位置よりワイド端位置側の範囲である３群側相対移動範囲を移動するときは、第２遮光枠５９の右側面に規制用突部２６の遮光枠位置規制面２６ａが当接することにより第２遮光枠５９のそれ以上の右側への移動が規制される一方で、３群レンズ枠４７はさらに右側へ移動するので、第２遮光枠５９と３群レンズ枠４７（第３レンズ群ＬＧ３）の左右方向距離が徐々に短くなり、ワイド端位置に達したときに最も短くなる（図５参照）。一方、２群レンズ枠３９がテレ端位置とワイド端近傍位置（図示略）の間の範囲である２群側一体移動範囲を移動するときは２群レンズ枠３９と第１遮光枠５４の左右方向距離は一定（不変）である。しかし２群レンズ枠３９が該ワイド端近傍位置よりワイド端位置側の範囲である２群側相対移動範囲を移動するときは、第１遮光枠５４の右側面が（規制用突部２６によって移動を規制された）第２遮光枠５９の左側面に当接することにより第１遮光枠５４のそれ以上の右側への移動が規制される一方で、２群レンズ枠３９はさらに右側へ移動するので、第１遮光枠５４と２群レンズ枠３９（第２レンズ群ＬＧ２）の左右方向距離が徐々に短くなり、ワイド端位置に達したときに最も短くなる（図５参照）。
【００２４】
そして本実施形態のように２つのプリズム（第１プリズムＬＰ１、第２プリズムＬＰ２）を利用して撮像光学系を構成することにより撮像ユニット１０を小型化（薄型化）した場合はハウジング１６の内壁や回路基板６６の内面（後面）と撮像光学系の距離が近づくため、何ら工夫を施さない場合はハウジング１６の内壁や回路基板６６の内面で反射した反射光（迷光）が第２プリズムＬＰ２を介さずに撮像素子６９の撮像面に直接入射したり、該反射光が第２プリズムＬＰ２の側面や出射面ＬＰ２−ｂで反射して撮像素子６９の撮像面に入射し、その結果、撮像した画像にゴーストが発生するリスクが高くなる。
しかし本実施形態では３群レンズ枠４７（第３レンズ群ＬＧ３）と第２プリズムＬＰ２の間に第１遮光枠５４と第２遮光枠５９を設けているので、第１遮光枠５４と第２遮光枠５９によって迷光が撮像素子６９の撮像面に入射するのを効果的に抑制できる。また、第１遮光枠５４（及び第２遮光枠５９）とハウジング１６の内壁や回路基板６６の内面との間には、第１遮光枠５４（及び第２遮光枠５９）の移動を可能にするためのクリアランスが形成してあるため、第１遮光枠５４とハウジング１６の内壁や回路基板６６の内面との間のクリアランスを迷光が通り抜けるおそれがある。しかし、この迷光は第２遮光枠５９によって遮ることができるので、この迷光が撮像素子６９の撮像面に入射するのを確実に防止できる。
さらに第１遮光枠５４側の遮光枠位置調整機構と第２遮光枠５９側の遮光枠位置調整機構が、２群レンズ枠３９（レンズＬ４、Ｌ５）と３群レンズ枠４７（第３レンズ群ＬＧ３）が２群側一体移動範囲と３群側一体移動範囲をそれぞれ移動するときは、２群レンズ枠３９と第１遮光枠５４の左右方向距離及び３群レンズ枠４７と第２遮光枠５９の左右方向距離をそれぞれ一定（不変）にする一方で、２群レンズ枠３９と３群レンズ枠４７が２群側相対移動範囲と３群側相対移動範囲をそれぞれ移動するときは、２群レンズ枠３９と第１遮光枠５４の左右方向距離及び３群レンズ枠４７と第２遮光枠５９の左右方向距離をそれぞれ徐々に変化させる（短くする）ことにより、撮像光学系が如何なる焦点距離にある場合も第１遮光枠５４及び第２遮光枠５９を常に迷光が撮像素子６９の撮像面に入射するのを防止するために最適な位置に移動させるので、ゴーストの発生を効果的に抑制できる。
【００２５】
さらに２群レンズ枠３９と３群レンズ枠４７が上記相対移動範囲まで移動すると、２群レンズ枠３９と第１遮光枠５４の左右方向距離及び３群レンズ枠４７と第２遮光枠５９の左右方向距離が徐々に短くなるため、撮像ユニット１０の左右方向寸法を大きくすることなく、２群レンズ枠３９（第２レンズ群ＬＧ２）、３群レンズ枠４７（第３レンズ群ＬＧ３）、第１遮光枠５４、及び、第２遮光枠５９を広い範囲でスライドさせることが可能である。
しかも、２群レンズ枠３９と３群レンズ枠４７にそれぞれ固定したガイドバー５２及びガイドバー５８と、２群レンズ枠３９と３群レンズ枠４７を移動案内するための部材である第１ロッド３６及び第２ロッド３７とを利用して第１遮光枠５４と第２遮光枠５９をそれぞれ支持しているので、第１遮光枠５４及び第２遮光枠５９用の特別な保持枠が不要であり、かつ第１遮光枠５４と第２遮光枠５９の移動支持機構の構造が簡単である。
さらに２群レンズ枠３９と第１遮光枠５４の左右方向距離及び３群レンズ枠４７と第２遮光枠５９の左右方向距離を変化させるための機構として規制用突部２６を利用した簡単な構造を採用しているので、当該機構の構成は簡単である。
【００２６】
以上本実施形態を利用して本発明を説明したが、本発明は様々な変形を施しながら実施可能である。
例えば図８及び図９に示すように、２群レンズ枠３９に固定したガイドバー８７（右端部にストッパ５２ａと同一仕様のストッパ８７ａが一体的に形成してある）を、３群レンズ枠４７に固定したガイドバー８８（右端部にストッパ５２ａと同一仕様のストッパ８８ａが一体的に形成してある）よりも長くした上で、ガイドバー８７にスライド自在に支持したスライド筒５３に第１遮光枠５４（回転止め溝５４ｃは第２ロッド３７にスライド自在に係合している）を固定し、ガイドバー８８にスライド自在に支持したスライド筒５３に、第１遮光枠５４より左側に位置させた第２遮光枠５９（回転止め溝５９ｃは第１ロッド３６にスライド自在に係合している）を固定してもよい。
さらに移動レンズ群（及び、その支持枠）を３群以上とした上で、各移動レンズ群に対応する遮光枠位置調整機構と遮光枠を設けて実施してもよい。
さらに各遮光枠を各移動レンズ群（及び、その支持枠）とは異なる部材に支持させて、各移動レンズ群が変倍動作するときに各遮光枠を各移動レンズ群とは独立して移動させてもよい。  また、第１プリズムＬＰ１と第２プリズムＬＰ２をミラーに代えてもよい。
【符号の説明】
【００２７】
１０    撮像ユニット
１５  本体モジュール
１６    ハウジング（ケース）
１７    取付用凹部
１８    収納凹部
１９    隔壁
２０    連通孔
２２    位置決め部
２３    位置決め用突部
２４    位置決め平面
２５    プリズム用凹部
２６    規制用突部（遮光枠位置規制部）
２６ａ  遮光枠位置規制面
２７    基板支持面
２８    係止突起
３０    第１係合凹部
３１    第２係合凹部
３２  ３４  係合突起
３６    第１ロッド
３７    第２ロッド
３９    ２群レンズ枠（第１の移動レンズ枠）
４０    挿通孔
４１    回転止め溝
４２    ナット保持孔
４３    遮光シート
４３ａ  光束規制開口
４４    ドリブンナット
４７    ３群レンズ枠（第２の移動レンズ枠）
４８    挿通孔
４９    回転止め溝
５０    ナット保持孔
５２    ガイドバー
５２ａ  ストッパ
５３    スライド筒
５４    第１遮光枠
５４ａ  光束規制開口
５４ｂ  固定孔
５４ｃ  回転止め溝
５８    ガイドバー
５８ａ  ストッパ
５９    第２遮光枠
５９ａ  光束規制開口
５９ｂ  固定孔
５９ｃ  回転止め溝
６５    基板モジュール
６６    回路基板
６７    円形孔
６９    撮像素子
７０    カバーガラス
７２    パッキン
７３    露出用孔
７４    貫通孔
７６    カバー部材（ケース）
７７    基部
７８    短寸係合片
７９    長寸係合片
８０    係合孔
８１    側部係合片
８２    係合孔
８４  ８５  ８６  押圧片
８４ａ  ８５ａ  ８６ａ  押圧突起
８７  ８８  ガイドバー
８７ａ  ８８ａ  ストッパ
Ｌ１    レンズ
Ｌ２    レンズ
Ｌ３    レンズ
Ｌ４    レンズ
Ｌ５    レンズ
Ｌ６    レンズ
ＬＧ１  第１レンズ群
ＬＧ２  第２レンズ群（移動レンズ群）（第１の移動レンズ群）
ＬＧ３  第３レンズ群（移動レンズ群）（第２の移動レンズ群）
ＬＰ１  第１プリズム（入射側プリズム）
ＬＰ１−ａ  入射面
ＬＰ１−ｂ  出射面
ＬＰ２  第２プリズム（出射側プリズム）
ＬＰ２−ａ  入射面
ＬＰ２−ｂ  出射面
Ｍ１    第１モータ
Ｍ１ａ  回転駆動軸
Ｍ２    第２モータ
Ｍ２ａ  回転駆動軸
Ｓ１  Ｓ２  圧縮コイルバネ
【図１】
0005619561.tif 000002
【図２】
0005619561.tif 000003
【図３】
0005619561.tif 000004
【図４】
0005619561.tif 000005
【図５】
0005619561.tif 000006
【図６】
0005619561.tif 000007
【図７】
0005619561.tif 000008
【図８】
0005619561.tif 000009
【図９】
0005619561.tif 000010